(57)【要約】【課題】監視カメラ用レンズ装置（本体）に配置された手元操作部を操作することにより監視カメラの設置場所で所要のレンズ操作を行えるようにし、取付作業やメンテナンス作業を容易にする監視カメラ用レンズ装置を提供する。【解決手段】監視カメラ用レンズ装置１０には、手元操作部２０が配置される。手元操作部２０には、リモート操作と手元操作とを切り替える切替スイッチ２８が設けられ、このスイッチにより手元操作を有効にすると、フォーカス操作スイッチ２２Ａ、２２Ｂ、ズーム操作スイッチ２４Ａ、２４Ｂ、アイリス操作スイッチ２６Ａ、２６Ｂによりフォーカス、ズーム、アイリスの操作ができるようになる。【選択図】      図２
2004279911.tif 000002
【特許請求の範囲】
【請求項１】
離れた場所に配備されたコントローラからの制御信号に基づいてモータを駆動し、該モータに連結された光学部品の設定状態を制御することによりリモート操作を可能にした監視カメラ用レンズ装置において、
前記監視カメラ用レンズ装置の本体に配置される手元操作部と、
前記手元操作部の操作に従って前記モータを駆動し、前記光学部品の設定状態を制御することにより手元操作を可能にする制御手段と、を備えたことを特徴とする監視カメラ用レンズ装置。
【請求項２】
前記リモート操作と前記手元操作との切り替えを指示する操作切替指示手段を備えたことを特徴とする請求項１の監視カメラ用レンズ装置。
【請求項３】
前記光学部品は、撮影レンズを構成するフォーカスレンズ、ズームレンズ、又はアイリスであることを特徴とする請求項１の監視カメラ用レンズ装置。
【発明の詳細な説明】
【０００１】
【発明の属する技術分野】
本発明は監視カメラ用レンズ装置に係り、特にリモート操作可能な電動サーボタイプの監視カメラ用レンズ装置に関する。
【０００２】
【従来の技術】
従来、監視カメラ（ＣＣＴＶカメラ）の設置場所から離れた場所に配備されたコントローラにより、フォーカス操作、ズーム操作、アイリス操作等のレンズ操作を電動（サーボ）により行えるようにしたリモート操作可能な監視カメラ用レンズ装置が知られている（例えば、特許文献１参照）。
【０００３】
一般にリモート操作可能な監視カメラ用レンズ装置では、撮影レンズ（ズームレンズ）を構成するレンズ鏡筒内のフォーカスレンズ、ズームレンズ、アイリス等にモータが連結され、そのモータがレンズ鏡筒の周面部に設置されている。また、それらのモータを覆うようにレンズ鏡筒の周面全体がカバーで保護されているものもある。そのため、リモート操作可能な監視カメラ用レンズ装置では、レンズ操作を手元で行うことができず、コントローラを用いたリモート操作でのみ行えるようになっている。
【０００４】
【特許文献１】
特開平１１−２５８６５３号公報
【０００５】
【発明が解決しようとする課題】
ところで、上述のようなリモート操作可能な監視カメラ用レンズ装置を監視カメラの本体と共に壁や天井などに設置する際、又は、設置後に、フォーカスやズーム、アイリス等を操作してそれらの動作チェックや撮影方向の確認等が行われている。その際、監視カメラの設置場所にコントローラを持ち込み、コントローラをレンズ装置に接続すると共に、コントローラを使用してレンズ操作を行わなければならないという不便さがあった。特に、レンズ装置とコントローラとを接続するケーブルは、外観上の都合等から通常、天井裏や壁裏を通して敷設され、レンズ装置に繋がれているケーブルのコネクタ（コントローラや延長ケーブル等を接続するコネクタ）も天井裏や壁裏に配置されることが多い。そのため、監視カメラやレンズ装置を一度設置すると、その設置場所において、カメラの映像に関しては監視カメラの映像出力端子にモニタを接続して確認できるとしても、レンズ操作を行うことができないという場合があった。この場合には、トランシーバや携帯電話などで連絡を取りながら離れた場所にあるコントローラを別の操作者に操作してもらわなければならないため労力と時間を要していた。
【０００６】
本発明はこのような事情に鑑みてなされたもので、リモート操作可能な監視カメラ用レンズ装置において、取付作業や動作チェック等のメンテナンス作業を容易にする監視カメラ用レンズ装置を提供することを目的とする。
【０００７】
【課題を解決するための手段】
前記目的を達成するために請求項１に記載の発明は、離れた場所に配備されたコントローラからの制御信号に基づいてモータを駆動し、該モータに連結された光学部品の設定状態を制御することによりリモート操作を可能にした監視カメラ用レンズ装置において、前記監視カメラ用レンズ装置の本体に配置される手元操作部と、前記手元操作部の操作に従って前記モータを駆動し、前記光学部品の設定状態を制御することにより手元操作を可能にする制御手段と、を備えたことを特徴としている。
【０００８】
また、請求項２に記載の発明は、請求項１に記載の発明において、前記リモート操作と前記手元操作との切り替えを指示する操作切替指示手段を備えたことを特徴としている。
【０００９】
また、請求項３に記載の発明は、請求項１に記載の発明において、前記光学部品は、撮影レンズを構成するフォーカスレンズ、ズームレンズ、又はアイリスであることを特徴としている。
【００１０】
本発明によれば、監視カメラ用レンズ装置（本体）に配置された手元操作部を操作することにより監視カメラの設置場所で所要のレンズ操作を行うことができるため、取付作業やメンテナンス作業を容易に行うことができるようになる。
【００１１】
【発明の実施の形態】
以下添付に従って本発明に係る監視カメラ用レンズ装置の好ましい実施の形態について詳説する。
【００１２】
図１は、本発明に係る監視カメラ用レンズ装置及びそのコントローラを示した図である。同図に示す監視カメラ用レンズ装置１０（以下、レンズ装置１０という）は、電動サーボタイプのいわゆるズームレンズであり、後端側に設けられたマウント１０Ａにより図示しない監視カメラの本体に装着されるようになっている。また、レンズ装置１０の周面部は全体がカバー１０Ｂで覆われており、そのカバー１０Ｂの内部にはフォーカス調整のためのフォーカスレンズ（群）、ズーム調整のためのズームレンズ（群）、光量調整のためのアイリス等の撮影レンズを構成する各種光学部品やこれらの光学部品を保持するレンズ鏡筒が配置されている。またカバー１０Ｂの内部には、フォーカスレンズ、ズームレンズ、アイリスをそれぞれ駆動するモータや各モータを駆動制御するための回路等が搭載されている。
【００１３】
レンズ装置１０の背面側には、コントローラ１２から出力された制御信号を伝送するケーブル１４が接続されており、そのケーブル１４のコネクタ１４Ａがコントローラ１２側のコネクタ（図示せず）に直接、又は、延長ケーブル１６を介して接続されるようになっている。
【００１４】
尚、レンズ装置１０のカバー１０Ｂには、レンズ操作（フォーカス操作、ズーム操作、アイリス操作）をコントローラ１２を使用せずに手元操作で行うための手元操作部２０が設けられているが、これについての詳細は後述する。
【００１５】
コントローラ１２には、例えば、フォーカス調整レバー１２Ａ、ズーム調整レバー１２Ｂ、アイリス調整レバー１２Ｃ、及び、スピード調整ツマミ１２Ｄが設けられている。フォーカス調整レバー１２Ａを操作した場合には、その操作方向が上側のときにレンズ装置１０のフォーカスが無限遠側に変化し、下側のときにフォーカスが至近側に変化する。ズーム調整レバー１２Ｂを操作した場合には、その操作方向が上側のときにズームがテレ側に変化し、下側のときにズームがワイド側に変化する。また、アイリス調整レバー１２Ｃを操作した場合には、その操作方向が上側のときにアイリスがオープン側に変化し、下側のときにアイリスがクローズ側に変化する。
【００１６】
各レバー１２Ａ〜１２Ｃの操作に対応して上述のような動作をレンズ装置１０に実行させるため、コントローラ１２からレンズ装置１０には、各レバー１２Ａ〜１２Ｃの操作方向に応じた動作方向に所定速度でフォーカス（フォーカスレンズ）、ズーム（ズームレンズ）、又は、アイリスを駆動させることを指示する電圧の制御信号が送信される。
【００１７】
また、スピード調整ツマミ１２Ｄは、フォーカス、ズーム、アイリスを各方向に動かす際の動作速度を変更するもので、スピード調整ツマミ１２Ｄの調整位置に応じてレンズ装置１０に送信される制御信号の電圧値が変更されるようになっている。
【００１８】
図２は、レンズ装置１０の手元操作部２０の構成について第１の実施の形態を示した側面図である。同図においてレンズ装置１０のカバー１０Ｂに設けられた手元操作部２０には、フォーカス操作スイッチ２２Ａ、２２Ｂ、ズーム操作スイッチ２４Ａ、２４Ｂ、アイリス操作スイッチ２６Ａ、２６Ｂ、及び、切替スイッチ２８が配設されている。フォーカス操作スイッチ２２Ａ、２２Ｂ、ズーム操作スイッチ２４Ａ、２４Ｂ、及びアイリス操作スイッチ２６Ａ、２６Ｂは、例えば、押している間だけスイッチがオンとなるノンロック式の押しボタンスイッチである。一方、切替スイッチ２８は、例えば、ボタンを押すとスイッチがオンとなり、ボタンから指を離してもオンの状態が保持され、もう一度ボタンを押すとスイッチがオンとなるダブルプッシュ式の押しボタンスイッチである。尚、これらの操作スイッチは、レンズ装置１０の背面側等のどの位置に配置してもよい。
【００１９】
切替スイッチ２８をオフの状態に設定した場合には、レンズ操作（フォーカス操作、ズーム操作、アイリス操作）を図１に示したようなコントローラ１２により行うモードとなる（リモート操作）。一方、切替スイッチ２８をオンの状態に設定した場合には、レンズ操作をコントローラ１２を使用せずに手元操作部２０のフォーカス操作スイッチ２２Ａ、２２Ｂ、ズーム操作スイッチ２４Ａ、２４Ｂ、アイリス操作スイッチ２６Ａ、２６Ｂにより行うモードとなる（手元操作）。
【００２０】
切替スイッチ２８をオンの状態に設定した場合（手元操作の場合）には、フォーカス操作スイッチ２２Ａをオンするとフォーカスが無限遠側に変化し、フォーカス操作スイッチ２２Ｂをオンするとフォーカスが至近側に変化する。ズーム操作スイッチ２４Ａをオンするとズームがテレ側に変化し、ズーム操作スイッチ２４Ｂをオンするとズームがワイド側に変化する。また、アイリス操作スイッチ２６Ａをオンするとアイリスがオープン側に変化し、アイリス操作スイッチ２６Ｂをオンするとアイリスがクローズ側に変化する。このように各操作スイッチ２２Ａ、２２Ｂ、２４Ａ、２４Ｂ、２６Ａ、２６Ｂをオンすると、そのオンの状態が継続している間に、フォーカス（フォーカスレンズ）、ズーム（ズームレンズ）、又はアイリスが、対応する方向に所定の動作速度となるように駆動されるようになっている。
【００２１】
尚、コントローラ１２のスピード調整ツマミ１２Ｄと同様に、各操作スイッチ２２Ａ、２２Ｂ、２４Ａ、２４Ｂ、２６Ａ、２６Ｂがオンされている間の動作速度を変更する操作部材（ツマミ等）を手元操作部２０に設けるようにしてもよい。
【００２２】
図３は、上記第１の実施の形態におけるレンズ装置１０の内部回路の構成を示した図である。同図においてフォーカス駆動用モータ３０、ズーム駆動用モータ３２、アイリス駆動用モータ３４は、それぞれフォーカスレンズ、ズームレンズ、アイリスに連結されており、各モータ３０、３２、３４は、内部回路５０の各ドライバ３６、３８、４０によって駆動制御（サーボ制御）されるようになっている。
【００２３】
各ドライバ３６、３８、４０の入力側には、それぞれ上記切替スイッチ２８の操作に連動するスイッチ４２、４４、４６の共通端子が接続され、各スイッチ４２、４４、４６のａ端子には上記コントローラ１２からのフォーカス制御信号、ズーム制御信号、アイリス制御信号が伝送されるようになっている。切替スイッチ２８がオフの状態では、各スイッチ４２、４４、４６のａ端子側の接点がいずれも閉じた状態となり、コントローラ１２から送信されてきたフォーカス制御信号、ズーム制御信号、アイリス制御信号がそれぞれドライバ３６、３８、４０に入力される。このとき各ドライバ３６、３８、４０は、それぞれに入力されたフォーカス制御信号、ズーム制御信号、アイリス制御信号の電圧値に応じた回転方向及び回転速度で各モータ３０、３２、３４を駆動する。したがって、切替スイッチ２８がオフの状態に設定されている場合には、コントローラ１２からの制御信号によってフォーカス、ズーム、アイリスが制御される。
【００２４】
一方、切替スイッチ２８がオンの状態に設定された場合、各スイッチ４２、４４、４６はいずれもｂ端子側の接点が閉じた状態になる。ここで、スイッチ４２のｂ端子には、フォーカス操作スイッチ２２Ａ、２２Ｂのａ端子が接続され、スイッチ４４のｂ端子には、ズーム操作スイッチ２４Ａ、２４Ｂのａ端子が接続され、スイッチ４６のｂ端子には、アイリス操作スイッチ２６Ａ、２６Ｂのａ端子が接続されている。したがって、切替スイッチ２８がオンの状態に設定されると、ドライバ３６にフォーカス操作スイッチ２２Ａ、２２Ｂが接続され、ドライバ３８にズーム操作スイッチ２４Ａ、２４Ｂが接続され、ドライバ４０にアイリス操作スイッチ２６Ａ、２６Ｂが接続される。
【００２５】
また、各操作スイッチ２２Ａ、２２Ｂ、２４Ａ、２４Ｂ、２６Ａ、２６Ｂのｂ端子には図示しない電源部により所定電圧が印加されており、各操作スイッチをオンすると、そのオンした操作スイッチに印加されている電圧が、対応するドライバ３６、３８、４０に制御信号として与えられるようになっている。
【００２６】
各操作スイッチ２２Ａ、２２Ｂ、２４Ａ、２４Ｂ、２６Ａ、２６Ｂに印加されている電圧は、それぞれの操作スイッチをオンしたときに目的の方向に予め決められた動作速度で対象を駆動することを指示する値に設定されている。例えば、フォーカス操作スイッチ２２Ａのｂ端子には、フォーカスを無限遠側に予め決められた所定の動作速度で駆動することをドライバ３６に指令する電圧が印加されている。
【００２７】
これにより、切替スイッチ２８がオンの状態に設定されている場合に、フォーカス操作スイッチ２２Ａがオンされるとフォーカスが無限遠側に駆動され、フォーカス操作スイッチ２２Ｂがオンされるとフォーカスが至近側に駆動される。ズーム操作スイッチ２４Ａがオンされるとズームがテレ側に駆動され、ズーム操作スイッチ２４Ｂがオンされるとズームがワイド側に駆動される。アイリス操作スイッチ２６Ａがオンされると、アイリスがオープン側に駆動され、アイリス操作スイッチ２６Ｂがオンされるとアイリスがクローズ側に駆動される。このように切替スイッチ２８をオンにすると、手元操作部２０の各操作スイッチによる手元操作でレンズ操作を行うことができる。
【００２８】
尚、上記実施の形態では切替スイッチ２８によりリモート操作と手元操作とを切り替えるようにしたが、切替スイッチ２８を設けることなくリモート操作と手元操作とを切り替えられるようにしてもよい。例えば、操作スイッチ２２Ａ、２２Ｂ、２４Ａ、２４Ｂ、２６Ａ、２６Ｂのいずれかを一定時間以上（例えば３秒以上）押し続けると手元操作に切り替わり、電源を一度オフにするか手元操作が一定時間以上行われなかった場合にリモート操作に切り替わるようにしてもよい。また、コントローラから制御信号が与えられているときにはリモート操作を有効とし、コントローラから制御信号が与えられていないときには手元操作を有効にするようにしてもよい。
【００２９】
次に、レンズ装置１０の手元操作部２０の構成について第２の実施の形態を図４の側面図に示す。同図においてレンズ装置１０の手元操作部２０には、上記フォーカス操作スイッチ２２Ａ、２２Ｂ等と同様のノンロック式の操作スイッチ６０Ａ、６０Ｂと、スライド式の切替スイッチ６２が配設されている。切替スイッチ６２は、４つの設定位置に切り替えられるようになっており、各設定位置に対応して「コントローラ」モード、「フォーカス」モード、「ズーム」モード、「アイリス」モードの４モードに切り替えられる。
【００３０】
切替スイッチ６２を「コントローラ」モードの位置に設定した場合には、レンズ操作（フォーカス操作、ズーム操作、アイリス操作）を図１に示したようなコントローラにより行うモードとなる（リモート操作）。
【００３１】
一方、切替スイッチ６２を「フォーカス」モードの位置に設定した場合には、フォーカス操作を手元操作部２０の操作スイッチ６０Ａ、６０Ｂにより行うモードとなる（手元操作）。この場合、操作スイッチ６０Ａをオンするとそのオンの間にフォーカスが無限遠側に所定速度で変化し、操作スイッチ６０Ｂをオンするとそのオンの間にフォーカスが至近側に所定速度で変化する。
【００３２】
また、切替スイッチ６２を「ズーム」モードの位置に設定した場合には、ズーム操作を手元操作部２０の操作スイッチ６０Ａ、６０Ｂにより行うモードとなる（手元操作）。この場合、操作スイッチ６０Ａをオンするとそのオンの間にズームがテレ側に所定速度で変化し、操作スイッチ６０Ｂをオンするとそのオンの間にズームがワイド側に所定速度で変化する。
【００３３】
更に、切替スイッチ６２を「アイリス」モードの位置に設定した場合には、アイリス操作を手元操作部２０の操作スイッチ６０Ａ、６０Ｂにより行うモードとなる（手元操作）。この場合、操作スイッチ６０Ａをオンするとそのオンの間にアイリスがオープン側に所定速度で変化し、操作スイッチ６０Ｂをオンするとそのオンの間にアイリスがクローズ側に所定速度で変化する。
【００３４】
図５は、上記第２の実施の形態におけるレンズ装置１０の内部回路の構成を示した図である。尚、同図においてフォーカス駆動用モータ３０、ズーム駆動用モータ３２、アイリス駆動用モータ３４、ドライバ３６、３８、４０は、いずれも図３に示した各モータ、ドライバと同一構成、同一作用であるため、図３と同一符号を付し説明を省略する。
【００３５】
内部回路７０において、各ドライバ３６、３８、４０の入力側には、それぞれ上記切替スイッチ６２に連動するスイッチ７２、７４、７６の共通端子が接続され、各スイッチ７２、７４、７６のａ端子には上記コントローラ１２からのフォーカス制御信号、ズーム制御信号、アイリス制御信号が伝送されるようになっている。切替スイッチ６２が「コントローラ」モードの位置に設定された状態では、各スイッチ７２、７４、７６のａ端子の接点がいずれも閉じた状態となり、コントローラ１２から送信されてきたフォーカス制御信号、ズーム制御信号、アイリス制御信号がそれぞれドライバ３６、３８、４０に入力されるようになっている。これにより、切替スイッチ６２が「コントローラ」モードの位置に設定されている場合には、コントローラ１２からの制御信号によってフォーカス、ズーム、アイリスが制御される。
【００３６】
一方、切替スイッチ６２が「フォーカス」モードの位置に設定された状態では、各スイッチ７２、７４、７６のｂ端子の接点がいずれも閉じた状態となる。このときスイッチ７４、７６のｂ端子は開放状態となりズーム、アイリスは停止した状態に保持される。これに対して、スイッチ７２のｂ端子には操作スイッチ６０Ａ、６０Ｂのａ端子が接続され、ドライバ３６に操作スイッチ６０Ａ、６０Ｂが接続される。操作スイッチ６０Ａ、６０Ｂのｂ端子には、第１の実施の形態と同様に図示しない電源部により所定電圧が印加されており、各操作スイッチ６０Ａ、６０Ｂをオンすると、そのオンした操作スイッチに印加されている電圧がドライバ３６に制御信号として与えられるようになっている。また、操作スイッチ６０Ａ、６０Ｂに印加されている電圧は、それぞれ異なる方向に予め決められた動作速度で対象を駆動することを指示する値に設定されている。
【００３７】
従って、切替スイッチ６２が「フォーカス」モードの位置に設定されている場合に、操作スイッチ６０Ａがオンされるとフォーカスが無限遠側に駆動され、操作スイッチ６０Ｂがオンされるとフォーカスが至近側に駆動される。
【００３８】
また、切替スイッチ６２が「ズーム」モードの位置に設定された状態では、各スイッチ７２、７４、７６のｃ端子の接点がいずれも閉じた状態となる。このときスイッチ７２、７６のｃ端子は開放状態となりフォーカス、アイリスは停止した状態に保持される。これに対して、スイッチ７４のｃ端子には操作スイッチ６０Ａ、６０Ｂのａ端子が接続され、ドライバ３８に操作スイッチ６０Ａ、６０Ｂが接続される。
【００３９】
従って、切替スイッチ６２が「ズーム」モードの位置に設定されている場合に、操作スイッチ６０Ａがオンされるとズームがテレ側に駆動され、操作スイッチ６０Ｂがオンされるとズームが至近側に駆動される。
【００４０】
また、切替スイッチ６２が「アイリス」モードの位置に設定された状態では、各スイッチ７２、７４、７６のｄ端子の接点がいずれも閉じた状態となる。このときスイッチ７２、７６のｄ端子は開放状態となりフォーカス、ズームは停止した状態に保持される。これに対して、スイッチ７６のｄ端子には操作スイッチ６０Ａ、６０Ｂのａ端子が接続され、ドライバ４０に操作スイッチ６０Ａ、６０Ｂが接続される。
【００４１】
従って、切替スイッチ６２が「アイリス」モードの位置に設定されている場合に、操作スイッチ６０Ａがオンされるとアイリスがオープン側に駆動され、操作スイッチ６０Ｂがオンされるとアイリスがクローズ側に駆動される。
【００４２】
次に、レンズ装置１０の手元操作部２０の構成について第３の実施の形態を図６の側面図に示す。同図においてレンズ装置１０の手元操作部２０には、フォーカス操作ツマミ８０、ズーム操作ツマミ８２、アイリス操作ツマミ８４と、図２の切替スイッチ２８と同様のダブルプッシュ式の切替スイッチ８６が配設されている。
【００４３】
第１の実施の形態と同様に切替スイッチ８６をオンの状態に設定した場合には、レンズ操作を図１に示したようなコントローラ１２により行うモードとなる（リモート操作）。一方、切替スイッチ８６をオンの状態に設定した場合には、レンズ操作を手元操作部２０のフォーカス操作ツマミ８０、ズーム操作ツマミ８２、アイリス操作ツマミ８４により行うモードとなる（手元操作）。
【００４４】
切替スイッチ８６をオンの状態に設定した場合（手元操作の場合）において、フォーカス、ズーム、アイリスはそれぞれフォーカス操作ツマミ８０、ズーム操作ツマミ８２、アイリス操作ツマミ８４の設定位置に応じた移動方向及び速度で駆動される。このとき、フォーカス操作ツマミ８０を操作するとフォーカスの動作方向及び速度を変更することができ、ズーム操作ツマミ８２を操作するとズームの動作方向及び速度を変更することができ、アイリス操作ツマミ８４を操作すると、アイリスの動作方向及び速度を変更することができるようになっている。
【００４５】
図７は、上記第２の実施の形態におけるレンズ装置１０の内部回路の構成を示した図である。尚、同図においてフォーカス駆動用モータ３０、ズーム駆動用モータ３２、アイリス駆動用モータ３４、ドライバ３６、３８、４０、スイッチ４２、４４，４６は、いずれも図３に示した各モータ、ドライバ、スイッチと同一構成、同一作用であるため、図３と同一符号を付し説明を省略する。
【００４６】
内部回路９０において、上記切替スイッチ８６に連動する各スイッチ７２、７４、７６のａ端子には第１の実施の形態と同様に上記コントローラ１２からのフォーカス制御信号、ズーム制御信号、アイリス制御信号が伝送されるようになっている。切替スイッチ８６がオフに設定された状態では、各スイッチ７２、７４、７６のａ端子の接点がいずれも閉じた状態となり、コントローラ１２から送信されてきたフォーカス制御信号、ズーム制御信号、アイリス制御信号がそれぞれドライバ３６、３８、４０に入力されるようになっている。これにより、切替スイッチ８６がオフの状態に設定されている場合には、コントローラ１２からの制御信号によってフォーカス、ズーム、アイリスが制御される。
【００４７】
一方、切替スイッチ８６がオンの状態に設定された場合、各スイッチ４２、４４、４６はいずれもｂ端子側の接点が閉じた状態となる。ここで、各スイッチ４２、４４、４６のｂ端子には、それぞれ上記フォーカス操作ツマミ８０、ズーム操作ツマミ８２、アイリス操作ツマミ８４の操作に連動する可変抵抗器９２、９４、９６の摺動端子（ａ端子）が接続され、各可変抵抗器９２、９４、９６の抵抗体には所定電圧が印加されている。
【００４８】
従って、切替スイッチ８６がオンの状態に設定されている場合、各操作ツマミ８０、８２、８４の設定位置に応じた電圧が対応するドライバ３６、３８、４０に制御信号として与えられる。そして、各操作ツマミ８０、８２、８４の設定位置を変更すると、各ドライバ３６、３８、４０に与えられる電圧も変更されるため、フォーカス、ズーム、アイリスの移動方向や速度が操作ツマミ８０、８２、８４の操作によって変更される。
【００４９】
以上、上記実施の形態では、コントローラ１２又はレンズ装置１０の手元操作部２０の操作部材の操作によりフォーカス、ズーム、アイリスの動作速度（及び方向）を制御する場合について説明したが、それらの操作部材の操作によりフォーカス、ズーム、アイリスの位置を制御することも容易に可能である。
【００５０】
また、上記実施の形態では上記レンズ装置１０の内部回路をアナログ回路で構成する場合について説明したが、レンズ装置１０の内部回路としてＣＰＵを搭載し、コントローラ１２からの制御信号や、手元操作部２０の操作部材の操作をＣＰＵにより検出し、上記実施の形態で示したようなアナログ回路と同等の処理（リモート操作と近接操作の切替えや、コントローラ１２からの制御信号又は手元操作部２０の操作に基づくモータの制御）をＣＰＵで行うようにしてもよい。
【００５１】
また、上記実施の形態では、コントローラ１２又は手元操作部２０で操作可能な対象をフォーカス、ズーム、アイリスとしたが、本発明は、これらのうちのいずれか１つ又は２つを対象とする場合や、フォーカス、ズーム、アイリス以外の対象を操作可能とする場合にも適用できる。
【００５２】
【発明の効果】
以上説明したように本発明に係る監視カメラ用レンズ装置によれば、監視カメラ用レンズ装置（本体）に配置された手元操作部を操作することにより監視カメラの設置場所で所要のレンズ操作を行うことができるため、取付作業やメンテナンス作業を容易に行うことができるようになる。
【図面の簡単な説明】
【図１】図１は、本発明に係る監視カメラ用レンズ装置及びそのコントローラを示した図である。
【図２】図２は、本発明に係るレンズ装置の操作部の構成について第１の実施の形態を示した外観側面図である。
【図３】図３は、図２の第１の実施の形態におけるレンズ装置の内部回路の構成を示した図である。
【図４】図４は、本発明に係るレンズ装置の操作部の構成について第２の実施の形態を示した外観側面図である。
【図５】図５は、図４の第２の実施の形態におけるレンズ装置の内部回路の構成を示した図である。
【図６】図６は、本発明に係るレンズ装置の操作部の構成について第３の実施の形態を示した外観側面図である。
【図７】図７は、図６の第１の実施の形態におけるレンズ装置の内部回路の構成を示した図である。
【符号の説明】
１０…監視カメラ用レンズ装置、１０Ｂ…カバー、１２…コントローラ、１２Ａ…フォーカス調整レバー、１２Ｂ…ズーム調整レバー、１２Ｃ…アイリス調整レバー、１２Ｄ…スピード調整ツマミ、１４…ケーブル、２０…手元操作部、２２Ａ、２２Ｂ…フォーカス操作スイッチ、２４Ａ、２４Ｂ…ズーム操作スイッチ、２６Ａ、２６Ｂ…アイリス操作スイッチ、２８、６２、８６…切替スイッチ、３０…フォーカス駆動用モータ、３２…ズーム駆動用モータ、３４…アイリス駆動用モータ、３６、３８、４０…ドライバ、４２、４４、４６、７２、７４、７６…スイッチ、６０Ａ、６０Ｂ…操作スイッチ、８０…フォーカス操作ツマミ、８２…ズーム操作ツマミ、８４…アイリス操作ツマミ、９２、９４、９６…可変抵抗器
【図１】
2004279911.tif 000003
【図２】
2004279911.tif 000004
【図３】
2004279911.tif 000005
【図４】
2004279911.tif 000006
【図５】
2004279911.tif 000007
【図６】
2004279911.tif 000008
【図７】
2004279911.tif 000009